(57)【要約】【課題】光源数の増加を抑えつつ、使用者への光照射と殺菌用の光照射とが可能な美容装置を提供する。【解決手段】光源３１で発光した光の内の長波長側の波長を透過する長波長透過フィルタ部３２と、光源３１で発光した光の内で前記長波長透過フィルタ部が透過する波長よりも短波長側の波長を透過する短波長透過フィルタ部３３とを備える。光源３１で発光した光を、長波長透過フィルタ部３２を介して使用者に照射し、光源３１で発光した光を、短波長透過フィルタ部３３を介してミスト生成部のミスト生成室、給水タンク及び給水管に照射させるように構成される。【選択図】図３
2013123474.tif 000002
【特許請求の範囲】
【請求項１】
光を発する光源を有して使用者に前記光源からの光を照射する光照射部と、液体貯留部に貯留された液体からミストを生成して前記使用者に噴霧するミスト生成部とを備えた美容装置において、
前記光源で発光した光の内の長波長側の波長を透過する長波長透過フィルタ部と、前記光源で発光した光の内で前記長波長透過フィルタ部が透過する波長よりも短波長側の波長を透過する短波長透過フィルタ部とを備え、
前記光源で発光した光を、長波長透過フィルタ部を介して前記使用者に照射し、
前記光源で発光した光を、短波長透過フィルタ部を介して前記ミスト生成部及び前記液体貯留部の少なくとも一方に照射させるように構成したことを特徴とする美容装置。
【請求項２】
請求項１に記載の美容装置において、
前記光源の照射方向を、前記使用者側と、前記ミスト生成部側及び前記液体貯留部側の少なくとも一方側とに切り替える照射方向切替部を備えたことを特徴とする美容装置。
【請求項３】
請求項２に記載の美容装置において、
前記光照射部と前記ミスト生成部と前記照射方向切替部の駆動を制御する制御部を備え、
前記制御部は、前記ミスト生成部によるミスト生成前に前記照射方向切替部を制御して前記ミスト生成部側及び前記液体貯留部側の少なくとも一方側に切り替えて前記短波長透過フィルタ部を介して前記光源からの光を照射することを特徴とする美容装置。
【請求項４】
請求項３に記載の美容装置において、
前記使用者側への光照射を停止させた状態でミスト噴霧を行う第１ミストモードと、前記使用者側への光照射とミスト噴霧を行う第２ミストモードとを備え、
前記制御部は、前記第１ミストモードが選択された際に、前記短波長透過フィルタ部を介して前記ミスト生成部及び前記液体貯留部の少なくとも一方に光を照射させるように前記光照射部を制御することを特徴とする美容装置。
【請求項５】
請求項４に記載の美容装置において、
前記制御部は、前記第１ミストモードが選択されると、前記短波長透過フィルタ部を介して前記ミスト生成部及び前記液体貯留部の少なくとも一方に光を照射させるように前記光照射部を制御するとともに、前記使用者側へのミスト噴霧を行うように前記ミスト生成部を制御することを特徴とする美容装置。
【請求項６】
請求項４に記載の美容装置において、
前記制御部は、前記第１ミストモードが選択されると、前記短波長透過フィルタ部を介して前記ミスト生成部及び前記液体貯留部の少なくとも一方に光を所定時間照射させるとともに前記所定時間が経過すると光照射を停止させるように前記光照射部を制御し、光照射を停止させてから前記使用者側へのミスト噴霧を行うように前記ミスト生成部を制御することを特徴とする美容装置。
【請求項７】
請求項４〜６のいずれか一項に記載の美容装置において、
前記制御部は、前記第２ミストモードが選択されると、前記短波長透過フィルタ部を介して前記ミスト生成部及び前記液体貯留部の少なくとも一方に光を所定時間照射させるように前記光照射部を制御し、
前記所定時間が経過すると、照射方向切替部を制御して前記光源の照射方向を前記使用者側に切り替えて前記使用者側に前記長波長透過フィルタ部を介して光を照射させるように光照射部を制御するとともに、前記使用者側へのミスト噴霧を行うように前記ミスト生成部を制御することを特徴とする美容装置。
【請求項８】
請求項１〜７のいずれか一項に記載の美容装置において、
前記ミスト生成部及び液体貯留部の少なくとも一方は、その一部のみが前記短波長透過フィルタ部を介した光を透過するように構成されることを特徴とする美容装置。
【発明の詳細な説明】
【技術分野】
【０００１】
本発明は、光とミスト付与する美容装置に関するものである。
【背景技術】
【０００２】
従来から美容剤、化粧剤又は水などからミストを生成するミスト生成部と、肌の美容のための光を照射する光源を有する光照射部とを美容装置が知られている（例えば、特許文献１参照）。
【先行技術文献】
【特許文献】
【０００３】
【特許文献１】特開２００９−２８２７８号公報
【発明の概要】
【発明が解決しようとする課題】
【０００４】
ところで、上記のようなミスト発生装置では、美容剤、化粧剤又は水などを使用しているため、例えばこれらのものがタンク等の装置内部に長期間貯留された状態が続くと菌等の繁殖の虞がある。
【０００５】
そこで、例えばＵＶ光（紫外光）等を照射する光源によってタンク等の内部を殺菌することが考えられる。しかしながら、使用者の肌の美容のための光と殺菌用の光とでは波長が異なるため、光源を２種類以上備える必要があり、光源数（部品点数）の増加を招く虞がある。
【０００６】
本発明は、上記課題を解決するためになされたものであって、その目的は、光源数の増加を抑えつつ、使用者への光照射と殺菌用の光照射とが可能な美容装置を提供することにある。
【課題を解決するための手段】
【０００７】
上記課題を解決するために、本発明のミスト発生装置は、光を発する光源を有して使用者に前記光源からの光を照射する光照射部と、液体貯留部に貯留された液体からミストを生成して前記使用者に噴霧するミスト生成部とを備えた美容装置において、前記光源で発光した光の内の長波長側の波長を透過する長波長透過フィルタ部と、前記光源で発光した光の内で前記長波長透過フィルタ部が透過する波長よりも短波長側の波長を透過する短波長透過フィルタ部とを備え、前記光源で発光した光を、長波長透過フィルタ部を介して前記使用者に照射し、前記光源で発光した光を、短波長透過フィルタ部を介して前記ミスト生成部及び前記液体貯留部の少なくとも一方に照射させるように構成したことを特徴とする。
【０００８】
また、上記構成において、光源の照射方向を、前記使用者側と、前記ミスト生成部側及び前記液体貯留部側の少なくとも一方側とに切り替える照射方向切替部を備えることが好ましい。
【０００９】
また、上記構成において、光照射部と前記ミスト生成部と前記照射方向切替部の駆動を制御する制御部を備え、前記制御部は、前記ミスト生成部によるミスト生成前に前記照射方向切替部を制御して前記ミスト生成部側及び前記液体貯留部側の少なくとも一方側に切り替えて前記短波長透過フィルタ部を介して前記光源からの光を照射することが好ましい。
【００１０】
また、上記構成において、使用者側への光照射を停止させた状態でミスト噴霧を行う第１ミストモードと、前記使用者側への光照射とミスト噴霧を行う第２ミストモードとを備え、前記制御部は、前記第１ミストモードが選択された際に、前記短波長透過フィルタ部を介して前記ミスト生成部及び前記液体貯留部の少なくとも一方に光を照射させるように前記光照射部を制御することが好ましい。
【００１１】
また、上記構成において、制御部は、前記第１ミストモードが選択されると、前記短波長透過フィルタ部を介して前記ミスト生成部及び前記液体貯留部の少なくとも一方に光を照射させるように前記光照射部を制御するとともに、前記使用者側へのミスト噴霧を行うように前記ミスト生成部を制御することが好ましい。
【００１２】
また、上記構成において、制御部は、前記第１ミストモードが選択されると、前記短波長透過フィルタ部を介して前記ミスト生成部及び前記液体貯留部の少なくとも一方に光を所定時間照射させるとともに前記所定時間が経過すると光照射を停止させるように前記光照射部を制御し、光照射を停止させてから前記使用者側へのミスト噴霧を行うように前記ミスト生成部を制御することが好ましい。
【００１３】
また、上記構成において、制御部は、前記第２ミストモードが選択されると、前記短波長透過フィルタ部を介して前記ミスト生成部及び前記液体貯留部の少なくとも一方に光を所定時間照射させるように前記光照射部を制御し、前記所定時間が経過すると、照射方向切替部を制御して前記光源の照射方向を前記使用者側に切り替えて前記使用者側に前記長波長透過フィルタ部を介して光を照射させるように光照射部を制御するとともに、前記使用者側へのミスト噴霧を行うように前記ミスト生成部を制御することが好ましい。
【００１４】
また、上記構成において、ミスト生成部及び液体貯留部の少なくとも一方は、その一部のみが前記短波長透過フィルタ部を介した光を透過するように構成されることが好ましい。
【発明の効果】
【００１５】
本発明によれば、光源数の増加を抑えつつ、使用者への光照射と殺菌用の光照射とが可能な美容装置を提供することができる。
【図面の簡単な説明】
【００１６】
【図１】実施形態における美容装置の外観を示す斜視図。
【図２】同上における美容装置の断面図。
【図３】（ａ）（ｂ）は実施形態における光照射部について説明するための断面図。
【図４】実施形態における美容装置の動作を説明するためのフローチャート。
【図５】別例における美容装置の動作を説明するためのフローチャート。
【図６】別例における美容装置の動作を説明するためのフローチャート。
【図７】別例における美容装置の動作を説明するためのフローチャート。
【図８】別例における美容装置の動作を説明するためのフローチャート。
【図９】別例における美容装置の断面図。
【発明を実施するための形態】
【００１７】
以下、本発明を具体化した一実施形態を図面に従って説明する。
図１に示すように、本実施形態の美容装置１０は、装置本体１１の上面には、ミスト放出口１２、光照射口１３及びスイッチ部１４が備えられている。
【００１８】
ミスト放出口１２及び光照射口１３は、装置本体１１の上面中央に並設されており、ミスト放出口１２からはミスト噴霧が可能なように、光照射口１３からは光の照射が可能なように貫通孔が形成されている。また、前記ミスト放出口１２は、前記装置本体１１の上面において、使用者の肌面（施術部）に向かってミストを噴出する角度に開口されている。
【００１９】
スイッチ部１４として、電源スイッチ１４ａ及びコース選択スイッチ１４ｂが設けられる。電源スイッチ１４ａは、美容装置１０のオンオフ操作を行うものである。コース選択スイッチ１４ｂは、その操作に応じてミストのみを放出するコース（モードＡ）や、ミスト放出とともに光を照射するコース（モードＢ）といった各種のコースの選択、及びその決定（動作開始）を行うものである。
【００２０】
図２に示すように、装置本体１１は、その内部にミスト生成部２０と、光照射部３０と、照射方向切替機構４０とを備えている。
図２に示すように、ミスト生成部２０を構成するミスト生成室２１は、装置本体１１の上面に開口されたタンク収容部２２に収容される給水タンク２３と給水管２４を介して接続されている。このため、ミスト生成室２１に給水タンク２３からミスト溶液２６が供給されるようになっている。ミスト生成室２１、給水タンク２３、タンク収容部２２及び給水管２４は、メタアクリル樹脂で構成されて短波長の光が透過可能とされる。
【００２１】
前記ミスト生成室２１の下部にはミスト生成部２０を構成する超音波振動子２７が取着されている。そして、超音波振動子２７は、装置本体１１内に配設される制御部ＣＰによりその駆動が制御される。そして、制御部ＣＰの動作により超音波振動子２７が作動すると、ミスト生成室２１内のミスト溶液２６が超音波振動によって霧化されてミストが生成される。
【００２２】
ミスト生成室２１の上部にはミスト案内管２８の一端が接続されている。そして、ミスト案内管２８は、前記装置本体１１の上面に開口される前記ミスト放出口１２に接続されている。そして、ミスト生成室２１内で生成されたミストは、ミスト案内管２８を経て、ミスト生成部を構成するミスト放出口１２から噴霧されるようになっている。
【００２３】
光照射部３０は、光源３１と、光源３１から照射される光の一部を透過する長波長透過フィルタ部３２と、光源３１から照射される光の一部を透過する短波長透過フィルタ部３３とを備えている。
【００２４】
光源３１は、制御部ＣＰの動作により駆動が制御され、紫外光から赤外光までの幅広い波長を照射することができるキセノンランプなどを用いることができる。
長波長透過フィルタ部３２は、ＵＶ光（紫外光）などの短波長側の波長（４００ｎｍ未満）をカットし、可視光や赤外光などの長波長側の波長（４００ｎｍ以上）を透過する。この長波長透過フィルタ部３２は、前記光照射口１３に取着されている。
【００２５】
短波長透過フィルタ部３３は、可視光や赤外光などの長波長側の波長（４００ｎｍ以上）をカットし、ＵＶ光などの短波長側の波長（４００ｎｍ未満）を透過する短波長透過フィルタである。この短波長透過フィルタ部３３は、図３（ａ）（ｂ）に示すように、光源３１の下部において装置本体１１の筐体部と一体形成された支持部１１ａに取着されている。
【００２６】
また、光源３１は、照射方向切替部としての前記照射方向切替機構４０により２位置に切り替え可能に構成される。
照射方向切替機構４０は、前記光源３１を回動可能に支持する支軸４１と、この支軸４１を回転させるとともに制御部ＣＰにより制御されるモータ４２とを備える。照射方向切替機構４０は、モータ４２を駆動させることで支軸４１が回転されて光源３１が回動され、図３（ａ）に示す使用者側である前記光照射口１３側と、図３（ｂ）に示す装置本体１１内部のミスト生成室２１及び給水タンク２３側（下部側）とに切り替え可能となっている。
【００２７】
次に、上記のように構成された美容装置１０の動作例（作用）について図４に従って説明する。
電源スイッチ１４ａが操作されて電源が投入されると（ステップＳ１０：ＹＥＳ）、使用者がコース選択スイッチ１４ｂを操作してモードＡとモードＢとを選択可能となる。
【００２８】
（第１ミストモードとしてのモードＡ）
コース選択スイッチ１４ｂによりモードＡが選択される（ステップＳ１１）と、制御部ＣＰ内のタイマー（図示略）を作動させて計時を開始する（ステップＳ２０）。このとき、光照射部３０（光源３１）への電力供給が可能な電力供給可能状態となる。これと同時に、制御部ＣＰは、照射方向切替機構４０のモータ４２を駆動させ、光照射部３０の光源３１の光がミスト生成室２１や液体貯留部としての給水タンク２３側に照射される位置となるまで、光源３１の向きを変更する（ステップＳ２１）。
【００２９】
次いで、制御部ＣＰは、光照射部３０の光源３１を駆動させて光を照射する（ステップＳ２２）。光源３１からの光は、短波長透過フィルタ部３３を透過してミスト生成室２１、給水タンク２３及びこれらを接続する給水管２４に照射される。このとき、前記短波長透過フィルタ部３３により可視光並びに赤外光の波長成分（４００ｎｍ以上）がカットされてＵＶ光（４００ｎｍ未満）が照射されることとなる。
【００３０】
前記制御部ＣＰ内のタイマーによる計時開始から所定時間Ｔまで（ステップＳ２３：ＮＯ）、制御部ＣＰは、前記光照射部３０の光源３１を駆動させてミスト生成室２１や給水タンク２３に光を照射する。
【００３１】
前記制御部ＣＰ内のタイマーによる計時開始から所定時間Ｔ経過後（ステップＳ２３：ＹＥＳ）、制御部ＣＰは、超音波振動子２７を作動させる（ステップＳ２４）。
その後、モードＡの終了時刻、又は使用者によって電源スイッチ１４ａが押下されるまで（ステップ２５：ＮＯ）、制御部ＣＰは、超音波振動子２７を連続作動させる。
【００３２】
（第２ミストモードとしてのモードＢ）
一方、コース選択スイッチ１４ｂによりモードＢが選択される（ステップＳ１１）と、制御部ＣＰ内のタイマーを作動させて計時を開始する（ステップＳ３０）。このとき、光照射部３０（光源３１）への電力供給が可能な電力供給可能状態となる。これと同時に、制御部ＣＰは、モータ４２を駆動させ、光照射部３０の光源３１の光がミスト生成室２１や液体貯留部としての給水タンク２３側に照射される位置となるまで、光源３１の向きを変更する（ステップＳ３１）。
【００３３】
次いで、制御部ＣＰは、光源３１を駆動させて光を照射する（ステップＳ３２）。光源３１からの光は、短波長透過フィルタ部３３を透過してミスト生成室２１、給水タンク２３及びこれらを接続する給水管２４に照射される。このとき、前記短波長透過フィルタ部３３により可視光並びに赤外光の波長成分（４００ｎｍ以上）がカットされてＵＶ光（４００ｎｍ未満）が照射されることとなる。
【００３４】
前記制御部ＣＰ内のタイマーによる計時開始から所定時間Ｔまで（ステップＳ３３：ＮＯ）、制御部ＣＰは、前記光照射部３０の光源３１を駆動させてミスト生成室２１、給水タンク２３及びこれらを接続する給水管２４に光を照射する。
【００３５】
前記制御部ＣＰ内のタイマーによる計時開始から所定時間Ｔ経過後（ステップＳ３３：ＹＥＳ）、制御部ＣＰは、前記モータ４２を駆動させ、光照射部３０の光源３１の光が使用者側に照射される位置（光照射口１３）まで、光源３１の向きを変更する（ステップＳ３４）。
【００３６】
次いで、制御部ＣＰは、光源３１を駆動させて光を照射させる（ステップＳ３５）とともに、超音波振動子２７を作動させる（ステップＳ３６）。このとき、光源３１からの光は、長波長透過フィルタ部３２を透過して使用者に照射される。このため、前記長波長透過フィルタ部３２によりＵＶ光の波長成分（４００ｎｍ未満）がカットされて可視光並びに赤外光（４００ｎｍ以上）が照射されることとなる。
【００３７】
その後、モードＢの終了時刻、又は使用者によって電源スイッチ１４ａが押下されるまで（ステップＳ３７：ＮＯ）、制御部ＣＰは、前記光照射部３０の光源３１を連続駆動させるとともに超音波振動子２７を連続作動させる。
【００３８】
また、モードＡ，Ｂの終了時刻に達するか使用者によって電源スイッチ１４ａが押下されると（ステップＳ２５又はステップＳ３７：ＹＥＳ）、制御部ＣＰは、光源３１による光の照射を停止させる（ステップＳ４０）。次いで、制御部ＣＰは、超音波振動子２７の作動を停止させる（ステップＳ４１）。
【００３９】
次に、本実施形態の特徴的な効果を記載する。
（１）光源３１で発光した光の内の長波長側の波長を透過する長波長透過フィルタ部３２と、光源３１で発光した光の内で前記長波長透過フィルタ部が透過する波長よりも短波長側の波長を透過する短波長透過フィルタ部３３とを備える。光源３１で発光した光を、長波長透過フィルタ部３２を介して使用者に照射し、光源３１で発光した光を、短波長透過フィルタ部３３を介してミスト生成部２０のミスト生成室２１、給水タンク２３及び給水管２４に照射させるように構成した。このような構成とすることで、１つの光源３１によって使用者には可視光や赤外光を照射でき、殺菌が必要なミスト生成部２０や給水タンク２３側にはＵＶ光を照射することができる。
【００４０】
（２）光源３１の照射方向を、使用者側と、ミスト生成部２０のミスト生成室２１、給水タンク２３及び給水管２４側とに切り替える照射方向切替機構４０を備える。このため、使用者側と、ミスト生成部２０のミスト生成室２１、給水タンク２３及び給水管２４側とに切り替えることが容易となる。
【００４１】
（３）光照射部３０とミスト生成部２０と照射方向切替機構４０の駆動を制御する制御部ＣＰを備える。そして制御部ＣＰは、ミスト生成部２０にミスト生成前に、照射方向切替機構４０を制御してミスト生成部２０側及び給水タンク２３側に切り替えて短波長透過フィルタ部３３を介して光源３１からの光を照射される。このように、ミスト生成前段階でミスト生成部２０や給水タンク２３内のミスト溶液２６を殺菌することができる。
【００４２】
（４）使用者側への光照射を停止させた状態でミスト噴霧を行うモードＡを備え、制御部ＣＰは、モードＡが選択された際に、短波長透過フィルタ部３３を介してミスト生成室２１及び給水タンク２３に光を照射させるように光照射部３０を制御する。このような構成とすることで、ミスト噴霧時においてもミスト生成室２１及び給水タンク２３内のミスト溶液２６を殺菌することができる。
【００４３】
（５）制御部ＣＰは、モードＢが選択されると、短波長透過フィルタ部３３を介してミスト生成室２１及び給水タンク２３に光を所定時間照射させるように光照射部３０を制御する。そして制御部ＣＰ、所定時間が経過すると、照射方向切替機構４０を制御して光源３１の照射方向を使用者側に切り替えて使用者側に長波長透過フィルタ部３２を介して光を照射させるように光照射部３０を制御するとともに、使用者側へのミスト噴霧を行うようにミスト生成部２０を制御する。このような構成とすることで、ミスト溶液２６の殺菌と、使用者の肌を温めることが同一の光源３１によってより確実に行うことができる。
【００４４】
尚、本発明の実施形態は、以下のように変更してもよい。
・上記実施形態では、各モードＡ，Ｂが終了後、光源３１の駆動を停止させるとともに超音波振動子２７を停止させる構成（図４でステップＳ４０，Ｓ４１）としたが、これに限らない。例えば、各モードＡ，Ｂ終了後、図５に示すようにＵＶ光をミスト生成室２１や給水タンク２３に照射するようにしてもよい。より具体的には、各モードＡ，Ｂが終了後、制御部ＣＰは光源３１による光の照射を停止させ（ステップＳ４０）、制御部ＣＰ内のタイマーを作動させて計時を開始する（ステップＳ５０）。これと同時に、制御部ＣＰは、モータ４２を駆動させ、光照射部３０の光源３１の光がミスト生成室２１や液体貯留部としての給水タンク２３側に照射される位置となるまで、光源３１の向きを変更する（ステップＳ５１）。次いで、制御部ＣＰは、光源３１を駆動させて光を照射する（ステップＳ５２）。光源３１からの光は、短波長透過フィルタ部３３を透過してＵＶ光がミスト生成室２１や給水タンク２３に照射される。前記タイマーによる計時開始から所定時間経過後（ステップＳ５３：ＹＥＳ）、制御部ＣＰは、光源３１の駆動を停止させる（ステップＳ５４）とともに超音波振動子２７を停止させる（ステップＳＳ５５）。
【００４５】
このような構成とすることで、各モードＡ，Ｂ終了後にミスト生成室２１や給水タンク２３内のミスト溶液２６を殺菌することができる。
・上記実施形態では、モードＡにおいて超音波振動子２７作動中も光源３１を駆動させる構成としたが、図６に示すように超音波振動子２７を作動させる前に光源３１の駆動を停止させてミスト生成室２１や給水タンク２３への光の照射を停止させるようにしてもよい。このような構成とすることで、光源３１の作動時間を減らして長寿命化に寄与することができる。なお、本構成の場合、モードＡ終了後には光源３１の駆動は既に停止しているため、図６に示すようにモードＢ終了後のみ、制御部ＣＰは光源３１の駆動を停止させて使用者への光の照射を停止させる。
【００４６】
・上記実施形態では、使用者の操作によってモードＡとモードＢとを選択可能な構成としたが、これに限らず、例えばいずれか一方のみを備えた構成を採用してもよい。
また、例えば、ミスト放出した後にミスト放出とともに光を照射するような構成を採用してもよい。このような構成の制御例を図７示す。
【００４７】
図７に示すように、電源スイッチ１４ａが操作されて電源が投入されると（ステップＳ１０：ＹＥＳ）、制御部ＣＰ内のタイマー（図示略）を作動させて計時を開始する（ステップＳ２０）。これと同時に、制御部ＣＰは、照射方向切替機構４０のモータ４２を駆動させ、光照射部３０の光源３１の光がミスト生成室２１や液体貯留部としての給水タンク２３側に照射される位置となるまで、光源３１の向きを変更する（ステップＳ２１）。
【００４８】
次いで、制御部ＣＰは、光照射部３０の光源３１を駆動させて光を照射する（ステップＳ２２）。光源３１からの光は、短波長透過フィルタ部３３を透過してミスト生成室２１、給水タンク２３及びこれらを接続する給水管２４に照射される。このとき、前記短波長透過フィルタ部３３により可視光並びに赤外光の波長成分（４００ｎｍ以上）がカットされてＵＶ光（４００ｎｍ未満）が照射されることとなる。
【００４９】
前記制御部ＣＰ内のタイマーによる計時開始から所定時間Ｔ１まで（ステップＳ５１：ＮＯ）、制御部ＣＰは、前記光照射部３０の光源３１を駆動させてミスト生成室２１や給水タンク２３に光を照射する。
【００５０】
前記制御部ＣＰ内のタイマーによる計時開始から所定時間Ｔ１経過後（ステップＳ５１：ＹＥＳ）、制御部ＣＰは、超音波振動子２７を作動させる（ステップＳ５２）。
前記制御部ＣＰ内のタイマーによる計時開始から所定時間Ｔ２経過後（ステップＳ５３：ＹＥＳ）、制御部ＣＰは、前記モータ４２を駆動させ、光照射部３０の光源３１の光が使用者側に照射される位置（光照射口１３）まで、光源３１の向きを変更する（ステップＳ５４）。
【００５１】
次いで、制御部ＣＰは、光源３１を駆動させて光を照射させる（ステップＳ５５）とともに、超音波振動子２７を継続して作動させる。このとき、光源３１からの光は、長波長透過フィルタ部３２を透過して使用者に照射される。このため、前記長波長透過フィルタ部３２によりＵＶ光の波長成分（４００ｎｍ未満）がカットされて可視光並びに赤外光（４００ｎｍ以上）が照射されることとなる。
【００５２】
その後、前記制御部ＣＰ内のタイマーによる計時開始から所定時間Ｔ３まで（ステップＳ５６：ＮＯ）、制御部ＣＰは、前記光照射部３０の光源３１の駆動と超音波振動子２７を作動させる。
【００５３】
そして、記制御部ＣＰ内のタイマーによる計時開始から所定時間Ｔ３経過後（ステップＳ５６：ＮＯ）、制御部ＣＰは、光源３１による光の照射を停止させる（ステップＳ５７）。次いで、制御部ＣＰは、超音波振動子２７の作動を停止させる（ステップＳ５８）。
【００５４】
以上のようにして、ミスト放出した後にミスト放出とともに光を照射することができる。
また、ミスト放出とともに光を照射した後にミストのみを放出する（光照射停止させる）構成を採用してもよい。このような構成の制御例を図８に示す。なお、以下にその一例を説明するが、上記構成と同一ステップについてはその説明の一部又は全部を割愛する。
【００５５】
図８に示すように、前記制御部ＣＰ内のタイマーによる計時開始から所定時間Ｔ１経過後（ステップＳ５１：ＹＥＳ）、制御部ＣＰは、モータ４２を駆動させ、光照射部３０の光源３１の光が使用者側に照射される位置（光照射口１３）まで、光源３１の向きを変更する（ステップＳ６１）。
【００５６】
次いで、制御部ＣＰは、光源３１を駆動させて光を照射させる（ステップＳ６２）とともに、超音波振動子２７を作動させる（ステップＳ６３）。
前記制御部ＣＰ内のタイマーによる計時開始から所定時間Ｔ２経過後（ステップＳ６４：ＹＥＳ）、制御部ＣＰは、光源３１による光の照射を停止させ（ステップＳ６５）、所定時間Ｔ３まで（ステップＳ６６：ＮＯ）、超音波振動子２７を作動させてミストのみを放出する。
【００５７】
そして、記制御部ＣＰ内のタイマーによる計時開始から所定時間Ｔ３経過後（ステップＳ６６：ＮＯ）、制御部ＣＰは、超音波振動子２７の作動を停止させる（ステップＳ６７）。
【００５８】
以上のようにして、ミスト放出とともに光を照射した後に、ミスト放出のみを実施することができる。
・上記実施形態では、ミスト生成室２１、給水タンク２３、タンク収容部２２及び給水管２４の全てをメタアクリル樹脂で構成したが、これに限らない。例えば、図９に示すように光源３１の照射範囲であるミスト生成室２１、タンク収容部２２及び給水タンク２３の被照射部２１ａ，２２ａ，２３ａ（一部）をメタアクリル樹脂で構成してもよい。このような構成とすることで、メタアクリル樹脂の使用量を抑えることができる。なお、給水管２４をゴムチューブ等のＵＶ光に弱い材質とした場合、図９に示すように、遮蔽板５１によって前記光源３１からの光を遮蔽するような構成とすることが望ましい。
【００５９】
・上記実施形態では、ミスト生成部２０のミスト生成室２１及び液体貯留部としての給水タンク２３に光源３１からの光を照射する構成としたが、いずれか一方のみに照射する構成を採用してもよい。
【００６０】
・上記実施形態では、ミスト生成部として超音波振動子２７により溶液をミスト化（霧化）する構成としたが、これに限らない。例えば、ポンプにより負圧を発生させて溶液をミスト化するベンチュリー式にてミスト生成部を構成してもよい。
【符号の説明】
【００６１】
１０…美容装置、２０…ミスト生成部、２３…液体貯留部を構成する給水タンク、３０…光照射部、３１…光源、３２…長波長透過フィルタ部、３３…短波長透過フィルタ部、４０…照射方向切替部としての照射方向切替機構、ＣＰ…制御部。
【図１】
2013123474.tif 000003
【図２】
2013123474.tif 000004
【図３】
2013123474.tif 000005
【図４】
2013123474.tif 000006
【図５】
2013123474.tif 000007
【図６】
2013123474.tif 000008
【図７】
2013123474.tif 000009
【図８】
2013123474.tif 000010
【図９】
2013123474.tif 000011